【手続補正書】
【提出日】令和1年10月25日(2019.10.25)
【手続補正１】
【補正対象書類名】特許請求の範囲
【補正対象項目名】全文
【補正方法】変更
【補正の内容】
【特許請求の範囲】
【請求項１】
編組付ケーブルにおける露出編組をケーブル中心部から外周側に向うように起す編組起し機構であって、
前記露出編組を外周側から前記ケーブル中心部に向けて押して起す押し起し機構を備え、
前記押し起し機構は、
前記ケーブル中心部の軸方向に沿った軸周りに回転可能に支持された転動体と、
前記転動体を前記ケーブル中心部に向けて接近離隔移動させる転動体接離移動機構と、
前記転動体を前記ケーブル中心部周りに旋回させる転動体旋回機構とを含む、編組起し機構。
【請求項２】
請求項１に記載の編組起し機構であって、
前記押し起し機構は、前記転動体が露出編組を押しつつ回転している状態で、前記転動体を露出編組の先端部から基端部に向けて相対移動させる移動機構を含む、編組起し機構。
【請求項３】
露出編組がシースの端部に被さるように反転された編組付ケーブルの製造方法であって、
ケーブル中心部の軸方向に沿った軸周りに回転可能に支持された転動体と、前記転動体を前記ケーブル中心部に向けて接近離隔移動させる転動体接離移動機構と、前記転動体を前記ケーブル中心部周りに旋回させる転動体旋回機構とを含む押し起し機構によって、前記露出編組を外周側から前記ケーブル中心部に向けて押して起すステップと、
押し起された前記露出編組を、前記シースの端部に外周側に向けて押すステップと、
を備える編組付ケーブルの製造方法。
【請求項４】
請求項３に記載の編組付ケーブルの製造方法であって、
前記押し起すステップでは、前記転動体が露出編組を押しつつ回転している状態で、移動機構によって、前記転動体を露出編組の先端部から基端部に向けて相対移動させる、編組付ケーブルの製造方法。
【手続補正２】
【補正対象書類名】明細書
【補正対象項目名】発明の名称
【補正方法】変更
【補正の内容】
【発明の名称】編組起し機構及び編組付ケーブルの製造方法
【手続補正３】
【補正対象書類名】明細書
【補正対象項目名】０００１
【補正方法】変更
【補正の内容】
【０００１】
この発明は、編組付ケーブルの加工技術に関する。
【手続補正４】
【補正対象書類名】明細書
【補正対象項目名】０００４
【補正方法】削除
【補正の内容】
【手続補正５】
【補正対象書類名】明細書
【補正対象項目名】０００５
【補正方法】削除
【補正の内容】
【手続補正６】
【補正対象書類名】明細書
【補正対象項目名】０００６
【補正方法】変更
【補正の内容】
【０００６】
そこで、本発明は、露出編組を起し易くすることを目的とする。
【手続補正７】
【補正対象書類名】明細書
【補正対象項目名】０００７
【補正方法】変更
【補正の内容】
【０００７】
上記課題を解決するため、第１の態様は、編組付ケーブルにおける露出編組をケーブル中心部から外周側に向うように起す編組起し機構であって、前記露出編組を外周側から前記ケーブル中心部に向けて押して起す押し起し機構を備え、前記押し起し機構は、前記ケーブル中心部の軸方向に沿った軸周りに回転可能に支持された転動体と、前記転動体を前記ケーブル中心部に向けて接近離隔移動させる転動体接離移動機構と、前記転動体を前記ケーブル中心部周りに旋回させる転動体旋回機構とを含む。
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】変更
【補正の内容】
【００１０】
第２の態様は、第１の態様に係る編組起し機構であって、前記押し起し機構は、前記転動体が露出編組を押しつつ回転している状態で、前記転動体を露出編組の先端部から基端部に向けて相対移動させる移動機構を含む。
【手続補正１１】
【補正対象書類名】明細書
【補正対象項目名】００１１
【補正方法】変更
【補正の内容】
【００１１】
第３の態様は、露出編組がシースの端部に被さるように反転された編組付ケーブルの製造方法であって、ケーブル中心部の軸方向に沿った軸周りに回転可能に支持された転動体と、前記転動体を前記ケーブル中心部に向けて接近離隔移動させる転動体接離移動機構と、前記転動体を前記ケーブル中心部周りに旋回させる転動体旋回機構とを含む押し起し機構によって、前記露出編組を外周側から前記ケーブル中心部に向けて押して起すステップと、押し起された前記露出編組を、前記シースの端部に外周側に向けて押すステップと、を備える。
第４の態様は、第３の態様に係る編組付ケーブルの製造方法であって、前記押して起すステップでは、前記転動体が露出編組を押しつつ回転している状態で、移動機構によって、前記転動体を露出編組の先端部から基端部に向けて相対移動させる。
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】削除
【補正の内容】
【手続補正１７】
【補正対象書類名】明細書
【補正対象項目名】００１７
【補正方法】削除
【補正の内容】
【手続補正１８】
【補正対象書類名】明細書
【補正対象項目名】００１８
【補正方法】削除
【補正の内容】
【手続補正１９】
【補正対象書類名】明細書
【補正対象項目名】００１９
【補正方法】変更
【補正の内容】
【００１９】
第１から第４の態様によると、編組起し機構は、露出編組を外周側からケーブル中心部に向けて押して起す押し起し機構を含むため、露出編組がケーブル中心部の外周に沿っている場合でも、露出編組を起し易い。
【手続補正２０】
【補正対象書類名】明細書
【補正対象項目名】００２０
【補正方法】変更
【補正の内容】
【００２０】
また、転動体接離移動機構によって転動体をケーブル中心部に向けて接近移動させることで、当該転動体によって繰返し露出編組を押すことができ、これにより、露出編組を効果的に起すことができる。また、転動体旋回機構によって、転動体をケーブル中心部周りに旋回させることによって、ケーブル中心部周りで露出編組をまんべんなく起すことができる。転動体が露出編組を押す際、当該転動体は、露出編組に当って従動回転できるため、転動体の旋回を止めずに、連続的に旋回させることができる。
【手続補正２１】
【補正対象書類名】明細書
【補正対象項目名】００２１
【補正方法】変更
【補正の内容】
【００２１】
第２又は第４の態様によると、転動体を露出編組の先端部から基端部に相対移動させることができるため、露出編組が先端部から基端部に至る広い領域で起され、より確実に起される。
【手続補正２２】
【補正対象書類名】明細書
【補正対象項目名】００２２
【補正方法】削除
【補正の内容】
【手続補正２３】
【補正対象書類名】明細書
【補正対象項目名】００２３
【補正方法】削除
【補正の内容】
【手続補正２４】
【補正対象書類名】明細書
【補正対象項目名】００２４
【補正方法】削除
【補正の内容】
【手続補正２５】
【補正対象書類名】明細書
【補正対象項目名】００２５
【補正方法】削除
【補正の内容】
【手続補正２６】
【補正対象書類名】明細書
【補正対象項目名】００２６
【補正方法】削除
【補正の内容】
【手続補正２７】
【補正対象書類名】明細書
【補正対象項目名】００２７
【補正方法】削除
【補正の内容】
【手続補正２８】
【補正対象書類名】明細書
【補正対象項目名】００２８
【補正方法】削除
【補正の内容】
【手続補正２９】
【補正対象書類名】明細書
【補正対象項目名】００５７
【補正方法】変更
【補正の内容】
【００５７】
また、反転機構１００の下流側には、絶縁電線１３の端部の絶縁被覆１３ｂの皮剥を行う皮剥装置、端子の圧着を行う端子圧着装置等を含む後処理機構１３０が設けられている。これにより、編組付ケーブル１０の端部において、露出編組１４ａの切揃え、反転等の加工処理がなされた後、絶縁電線１３の絶縁被覆１３ｂの皮剥、端子圧着処理等が続いて自動的になされる。もちろん、後処理機構１３０が省略され、絶縁電線１３の絶縁被覆１３ｂの皮剥、端子圧着処理等が手作業によって行われてもよい。上記誘電体ケース３０の装着作業、外導体端子４０の圧着作業等も手作業によって行うことができる。
【手続補正３０】
【補正対象書類名】明細書
【補正対象項目名】００７９
【補正方法】変更
【補正の内容】
【００７９】
転動体旋回機構６８は、回転電機モータ等を備えており、装置本体に対して一定位置に固定されている。転動体旋回機構６８は、駆動本体部６６ａの背部を支持しており、転動体旋回機構６８の回転駆動によって、転動体接離移動機構６６が編組付ケーブル１０の中心軸周りに回転する。これにより、転動体接離移動機構６６によって支持された各転動体６４も、編組付ケーブル１０の中心軸、即ち、撚り合せ部１２の周りに旋回する。
【手続補正３１】
【補正対象書類名】明細書
【補正対象項目名】０１１８
【補正方法】削除
【補正の内容】
【手続補正３２】
【補正対象書類名】明細書
【補正対象項目名】０１２４
【補正方法】変更
【補正の内容】
【０１２４】
まず、初期状態においては、図１４に示すように、内刃体８６は、外刃体８２に対してケーブル端部進退駆動部５６とは反対側で当該外刃体８２から離れた位置に存在している。ケーブル端部把持部５４は、露出編組１４ａが環状に起された編組付ケーブル１０の端部を把持している。
【手続補正３３】
【補正対象書類名】明細書
【補正対象項目名】０１３８
【補正方法】変更
【補正の内容】
【０１３８】
反転用部材駆動部１０４は、反転用部材１０２を、編組付ケーブル１０に向けて相対移動させるものであり、ここでは、反転用部材１０２を編組付ケーブル１０に向けて移動させる。
【手続補正３４】
【補正対象書類名】明細書
【補正対象項目名】０１４４
【補正方法】変更
【補正の内容】
【０１４４】
まず、初期状態においては、図２０に示すように、反転用部材１０２は、ケーブル端部把持部５４によって把持された編組付ケーブル１０の端部から離れた位置に存在している。
【手続補正３５】
【補正対象書類名】図面
【補正対象項目名】図３
【補正方法】変更
【補正の内容】
【図３】
2019013146.tif 000001